(57)【特許請求の範囲】
【請求項１】
複数の周波数帯域を使用可能な複数の被測定装置（１〜４）にそれぞれ接続され、前記各被測定装置の送信特性及び受信特性の少なくとも一方の特性の測定を並行して行う複数の測定手段（１０、２０、３０、４０）を備えた測定装置において、
前記各測定手段は、
所定の周波数帯域の周波数を有し前記送信特性を測定するための信号を前記被測定装置から入力する信号入力手段（１４、２４、３４、４４）と、
所定の周波数帯域の周波数を有し前記受信特性を測定するための信号を前記被測定装置に出力する信号出力手段（１５、２５、３５、４５）と、
自測定手段の前記信号入力手段及び前記信号出力手段が扱う周波数帯域の情報を記憶する使用帯域情報記憶手段（１６、２６、３６、４６）と、
前記自測定手段の前記信号入力手段及び前記信号出力手段が扱う周波数帯域を他測定手段の前記使用帯域情報記憶手段が記憶した周波数帯域の情報に基づいて前記各測定手段間で互いに異ならせて設定する使用帯域設定手段（１２、２２、３２、４２）と、
を備えたことを特徴とする測定装置。
【請求項２】
前記信号入力手段は、前記被測定装置から入力した信号を解析する信号解析手段であって、
予め定められた測定パラメータを測定開始前に登録する測定パラメータ登録手段（５２、６２、７２、８２）をさらに備え、
前記信号解析手段は、前記測定パラメータに基づいて前記被測定装置から入力した信号を解析するものであることを特徴とする請求項１に記載の測定装置。
【請求項３】
前記信号出力手段は、前記被測定装置に出力する信号を発生する信号発生手段であって、
予め定められた測定パラメータを測定開始前に登録する測定パラメータ登録手段（５２、６２、７２、８２）をさらに備え、
前記信号発生手段は、前記測定パラメータに基づいて前記被測定装置に出力する信号を発生するものであることを特徴とする請求項１に記載の測定装置。
【請求項４】
複数の周波数帯域を使用可能な複数の被測定装置（１〜４）にそれぞれ接続され、前記各被測定装置の送信特性及び受信特性の少なくとも一方の特性の測定を並行して行う複数の測定手段（１０、２０、３０、４０）を備えた測定装置を用いた測定方法であって、
自測定手段が扱う周波数帯域を他測定手段が記憶した周波数帯域の情報に基づいて前記各測定手段間で互いに異ならせて設定することを特徴とする測定方法。
【発明の詳細な説明】
【技術分野】
【０００１】
本発明は、複数の被測定装置の特性を同時に測定することが可能な測定装置及び測定方法に関する。
【背景技術】
【０００２】
従来、この種の測定装置としては、多数のＲＦ信号試験機で多入力多出力（ＭＩＭＯ）信号受信機を試験するためのシステムが知られている（例えば、特許文献１参照）。
【０００３】
この従来のシステムは、多数の信号発生装置及び信号解析装置を備え、多数のＲＦ信号により、被測定装置の送信特性及び受信特性を測定できるようになっている。
【先行技術文献】
【特許文献】
【０００４】
【特許文献１】特表２０１５−５２３７５９号公報
【発明の概要】
【発明が解決しようとする課題】
【０００５】
ところで、複数の周波数帯域を使用可能な被測定装置を測定対象とした場合に、測定の効率化を図るためには、複数の被測定装置を同時に測定できる構成とすることが考えられる。この場合、一の被測定装置の測定信号と他の被測定装置の測定信号とが干渉しないよう、同一周波数帯域の測定を避ける必要がある。
【０００６】
しかしながら、特許文献１に記載の従来のものでは、同一周波数帯域の信号干渉が考慮されていないので、複数の周波数帯域を使用可能な複数の被測定装置を測定対象とする場合には、測定確度を確保できないという課題があった。
【０００７】
本発明は、従来の課題を解決するためになされたものであり、複数の周波数帯域を使用可能な複数の被測定装置を測定対象とする場合でも、信号干渉を防止して測定確度の向上を図ることができる測定装置及び測定方法を提供することを目的とする。
【課題を解決するための手段】
【０００８】
本発明の請求項１に係る測定装置は、複数の周波数帯域を使用可能な複数の被測定装置（１〜４）にそれぞれ接続され、前記各被測定装置の送信特性及び受信特性の少なくとも一方の特性の測定を並行して行う複数の測定手段（１０、２０、３０、４０）を備えた測定装置において、前記各測定手段は、所定の周波数帯域の周波数を有し前記送信特性を測定するための信号を前記被測定装置から入力する信号入力手段（１４、２４、３４、４４）と、所定の周波数帯域の周波数を有し前記受信特性を測定するための信号を前記被測定装置に出力する信号出力手段（１５、２５、３５、４５）と、自測定手段の前記信号入力手段及び前記信号出力手段が扱う周波数帯域の情報を記憶する使用帯域情報記憶手段（１６、２６、３６、４６）と、前記自測定手段の前記信号入力手段及び前記信号出力手段が扱う周波数帯域を他測定手段の前記使用帯域情報記憶手段が記憶した周波数帯域の情報に基づいて前記各測定手段間で互いに異ならせて設定する使用帯域設定手段（１２、２２、３２、４２）と、を備えた構成を有している。
【０００９】
この構成により、本発明の請求項１に係る測定装置は、自測定手段の信号入力手段及び信号出力手段が扱う周波数帯域を他測定手段の使用帯域情報記憶手段が記憶した周波数帯域の情報に基づいて各測定手段間で互いに異ならせて設定して各被測定装置の送信特性及び受信特性の少なくとも一方の特性を並行して測定するので、複数の周波数帯域を使用可能な複数の被測定装置を測定対象とする場合でも、信号干渉を防止して測定確度の向上を図ることができる。
【００１３】
本発明の請求項２に係る測定装置は、前記信号入力手段は、前記被測定装置から入力した信号を解析する信号解析手段であって、予め定められた測定パラメータを測定開始前に登録する測定パラメータ登録手段（５２、６２、７２、８２）をさらに備え、前記信号解析手段は、前記測定パラメータに基づいて前記被測定装置から入力した信号を解析するものである構成を有するのが好ましい。
【００１４】
本発明の請求項３に係る測定装置は、前記信号出力手段は、前記被測定装置に出力する信号を発生する信号発生手段であって、予め定められた測定パラメータを測定開始前に登録する測定パラメータ登録手段（５２、６２、７２、８２）をさらに備え、前記信号発生手段は、前記測定パラメータに基づいて前記被測定装置に出力する信号を発生するものである構成を有するのが好ましい。
【００１５】
本発明の請求項４に係る測定方法は、複数の周波数帯域を使用可能な複数の被測定装置（１〜４）にそれぞれ接続され、前記各被測定装置の送信特性及び受信特性の少なくとも一方の特性の測定を並行して行う複数の測定手段（１０、２０、３０、４０）を備えた測定装置を用いた測定方法であって、自測定手段が扱う周波数帯域を他測定手段が記憶した周波数帯域の情報に基づいて前記各測定手段間で互いに異ならせて設定する構成を有している。
【００１６】
この構成により、本発明の請求項６に係る測定方法は、自測定手段が扱う周波数帯域を他測定手段が記憶した周波数帯域の情報に基づいて前記各測定手段間で互いに異ならせて設定して各被測定装置の送信特性及び受信特性の少なくとも一方の特性を並行して測定するので、複数の周波数帯域を使用可能な複数の被測定装置を測定対象とする場合でも、信号干渉を防止して測定確度の向上を図ることができる。
【発明の効果】
【００１７】
本発明は、複数の周波数帯域を使用可能な複数の被測定装置を測定対象とする場合でも、信号干渉を防止して測定確度の向上を図ることができるという効果を有する測定装置及び測定方法を提供することができるものである。
【図面の簡単な説明】
【００１８】
【図１】本発明に係る測定装置の第１実施形態における構成を示すブロック図である。
【図２】本発明に係る測定装置の第１実施形態における帯域設定部、帯域記憶部、帯域管理部の各機能についての説明図である。
【図３】本発明に係る測定装置の第１実施形態において、各ＤＵＴの測定例を示す図である。
【図４】本発明に係る測定装置の第１実施形態における動作を示すフローチャートである。
【図５】本発明に係る測定装置の第１実施形態の変形例における構成を示すブロック図である。
【図６】本発明に係る測定装置の第２実施形態における構成を示すブロック図である。
【図７】本発明に係る測定装置の第２実施形態における動作を示すフローチャートである。
【発明を実施するための形態】
【００１９】
以下、本発明の実施形態について図面を用いて説明する。
【００２０】
（第１実施形態）
まず、本発明に係る測定装置の第１実施形態における構成について説明する。
【００２１】
図１に示すように、本実施形態における測定装置１００は、測定部１０、２０、３０及び４０（以下、総称して「測定部１０等」という）、制御装置１０１を備えている。
【００２２】
測定装置１００は、ＣＰＵ、ＲＯＭ、ＲＡＭ、各種インタフェースが接続される入出力回路等を備えたマイクロコンピュータを含む。測定装置１００は、ＲＯＭに予め格納された制御プログラムを実行させることにより、マイクロコンピュータを測定装置１００の各機能部として機能させるようになっている。
【００２３】
測定部１０等は、複数の周波数帯域を使用可能な複数の被測定装置（以下「ＤＵＴ」という）１〜４に例えばケーブルを介してそれぞれ接続され、互いに異なる周波数帯域の信号を使用して各ＤＵＴ１〜４の送信特性及び受信特性の少なくとも一方の特性を測定するものである。この測定部１０等は、測定手段の一例である。なお、本実施形態では、測定部１０等が、無線ＬＡＮで使用される２ＧＨｚ帯域及び５ＧＨｚ帯域の信号を用いてＤＵＴ１〜４の送信特性及び受信特性を測定するものとする。すなわち、ＤＵＴ１〜４は、複数の周波数帯域を使用する装置の一例であり、例えば携帯端末装置である。
【００２４】
測定部１０は、ＤＵＴ１の測定に関する制御を行う制御部１１と、ＤＵＴ１の送信特性及び受信特性を測定する測定ユニット１３と、を備えている。
【００２５】
制御部１１は、測定ユニット１３に対してＤＵＴ１の測定に関する制御を行うものであり、帯域設定部１２を備えている。また、制御部１１は、測定ユニット１３を介し、ＤＵＴ１と通信できるようになっている。例えば、制御部１１は、ＤＵＴ１の送信特性を測定する場合には、ＤＵＴ１からの信号で用いる帯域周波数をＤＵＴ１に通知するようになっている。また、例えば、制御部１１は、ＤＵＴ１の受信特性を測定する場合には、ＤＵＴ１の受信特性を示すデータをＤＵＴ１から取得するようになっている。測定ユニット１３は、信号解析装置（以下「ＳＡ」という）１４、信号発生装置（以下「ＳＧ」という）１５、帯域記憶部１６、帯域管理部１７を備えている。なお、制御部１１は、測定装置１００の外部の装置、例えばパーソナルコンピュータ等に設けられた構成であってもよい。
【００２６】
測定部２０、３０及び４０の構成は測定部１０と同じである。すなわち、測定部２０は、制御部２１、帯域設定部２２、測定ユニット２３、ＳＡ２４、ＳＧ２５、帯域記憶部２６、帯域管理部２７を備えている。測定部３０は、制御部３１、帯域設定部３２、測定ユニット３３、ＳＡ３４、ＳＧ３５、帯域記憶部３６、帯域管理部３７を備えている。測定部４０は、制御部４１、帯域設定部４２、測定ユニット４３、ＳＡ４４、ＳＧ４５、帯域記憶部４６、帯域管理部４７を備えている。以下、測定部１０等の各構成について、測定部１０で代表して説明し、説明が重複する場合は測定部２０、３０及び４０の説明は省略する。
【００２７】
帯域設定部１２は、自測定部１０以外の他測定部２０、３０及び４０の帯域記憶部２６、３６及び４６が記憶した周波数帯域の情報に基づいて、自測定部１０のＳＡ１４及びＳＧ１５が扱う周波数帯域を設定するようになっている。この帯域設定部１２は、使用帯域設定手段の一例である。
【００２８】
同様に、測定部２０の帯域設定部２２は、他測定部１０、３０及び４０の帯域記憶部１６、３６及び４６が記憶した周波数帯域の情報に基づいて、自測定部２０のＳＡ２４及びＳＧ２５が扱う周波数帯域を設定するようになっている。測定部３０の帯域設定部３２は、他測定部１０、２０及び４０の帯域記憶部１６、２６及び４６が記憶した周波数帯域の情報に基づいて、自測定部３０のＳＡ３４及びＳＧ３５が扱う周波数帯域を設定するようになっている。測定部４０の帯域設定部４２は、他測定部１０、２０及び３０の帯域記憶部１６、２６及び３６が記憶した周波数帯域の情報に基づいて、自測定部４０のＳＡ４４及びＳＧ４５が扱う周波数帯域を設定するようになっている。
【００２９】
ＳＡ１４は、ＤＵＴ１の送信特性を測定するために所定の周波数帯域の周波数を有する信号をＤＵＴ１から入力するようになっている。このＳＡ１４は、信号入力手段の一例であり、例えばスペクトラムアナライザのような信号解析装置である。
【００３０】
ＳＧ１５は、ＤＵＴ１の受信特性を測定するために所定の周波数帯域の周波数を有する信号をＤＵＴ１に出力するようになっている。このＳＧ１５は、信号出力手段の一例であり、例えば、所定周波数の信号や試験用のパターン信号を発生する信号発生装置である。
【００３１】
帯域記憶部１６は、ＳＡ１４、ＳＧ１５が扱う周波数帯域の情報（以下「使用周波数帯域情報」という）を記憶するようになっている。この帯域記憶部１６は、使用帯域情報記憶手段の一例である。本実施形態では、帯域記憶部１６は、ＳＡ１４、ＳＧ１５の両方が使用周波数帯域情報を記憶するものとしているが、これに限定されず、例えば、ＳＡ１４、ＳＧ１５がそれぞれメモリを備え、使用周波数帯域情報を各メモリに別個に記憶する構成であってもよい。
【００３２】
帯域管理部１７は、ＳＡ１４、ＳＧ１５の使用周波数帯域情報を帯域記憶部１６に記憶させる処理や、ＳＡ１４、ＳＧ１５が測定を終了した場合に使用した周波数帯域の情報を制御部１１の指示に基づいて帯域記憶部１６からクリアする処理等を実行するようになっている。
【００３３】
また、帯域管理部１７は、自測定部１０以外の他測定部２０、３０及び４０の帯域管理部２７、３７及び４７を介して、帯域記憶部２６、３６及び４６に記憶された周波数帯域の情報を取得するようになっている。すなわち、帯域管理部１７は、測定部２０のＳＡ２４及びＳＧ２５、測定部３０のＳＡ３４及びＳＧ３５、測定部４０のＳＡ４４及びＳＧ４５の使用周波数帯域情報を取得するものである。
【００３４】
帯域管理部１７と同様に、帯域管理部２７は、測定部１０のＳＡ１４及びＳＧ１５、測定部３０のＳＡ３４及びＳＧ３５、測定部４０のＳＡ４４及びＳＧ４５の使用周波数帯域情報を取得するようになっている。また、帯域管理部３７は、測定部１０のＳＡ１４及びＳＧ１５、測定部２０のＳＡ２４及びＳＧ２５、測定部４０のＳＡ４４及びＳＧ４５の使用周波数帯域情報を取得するようになっている。また、帯域管理部４７は、測定部１０のＳＡ１４及びＳＧ１５、測定部２０のＳＡ２４及びＳＧ２５、測定部３０のＳＡ３４及びＳＧ３５の使用周波数帯域情報を取得するようになっている。
【００３５】
この構成により、帯域管理部１７、２７、３７及び４７は、自測定部以外の他測定部で使用される周波数帯域を取得できるので、測定部１０等は、互いに異なる周波数帯域の信号を使用して各ＤＵＴ１〜４の送信特性、受信特性を測定することができる。
【００３６】
制御装置１０１は、測定部１０等の各制御部１１、２１、３１及び４１の動作を制御するものである。
【００３７】
次に、帯域設定部１２、帯域記憶部１６、帯域管理部１７の各機能について図２を用いて説明する。なお、説明を簡単にするため、測定部１０、２０及び３０を例に挙げて説明する。
【００３８】
図２では、無線ＬＡＮをＷＬＡＮ、２ＧＨｚ帯域を２Ｇ、５ＧＨｚ帯域を５Ｇ、受信特性の測定をＲＸ測定、送信特性の測定をＴＸ測定と表している。図２に示すように、帯域記憶部１６は、ＳＡ１４及びＳＧ１５の使用周波数帯域情報を記憶するテーブル（以下「使用帯域テーブル」という）１６ａを備えている。帯域記憶部２６は、ＳＡ２４及びＳＧ２５の使用帯域テーブル２６ａを備えている。帯域記憶部３６は、ＳＡ３４及びＳＧ３５の使用帯域テーブル３６ａを備えている。初期状態では、使用帯域テーブル１６ａ、２６ａ及び３６ａはクリアされている。
【００３９】
まず、測定部１０が、無線ＬＡＮの２ＧＨｚ帯域でＤＵＴ１の受信特性の測定を要求するものとする。この場合、帯域設定部１２は、２ＧＨｚ帯域でＳＧ１５を使用するための使用要求を帯域管理部１７に出力する。帯域管理部１７は、帯域管理部２７及び３７を介し、帯域記憶部２６及び３６の使用帯域テーブル２６ａ及び３６ａを確認する。初期状態では使用帯域テーブル２６ａ及び３６ａはクリアされており２ＧＨｚ帯域が使用される情報は登録されていないので、帯域管理部１７は、帯域設定部１２に対して、２ＧＨｚ帯域でＳＧ１５を使用するための使用要求に対して使用許諾を示す信号を出力する。
【００４０】
帯域設定部１２は、使用許諾を示す信号を受信すると、２ＧＨｚ帯域でＳＧ１５を使用する情報を帯域記憶部１６に記憶させるよう帯域管理部１７に指示する。その結果、使用帯域テーブル１６ａには、２ＧＨｚ帯域でＳＧ１５を使用する情報が帯域管理部１７によって記憶される。
【００４１】
次に、測定部２０が、無線ＬＡＮの５ＧＨｚ帯域でＤＵＴ２の送信特性の測定を要求する場合には、帯域設定部２２は、５ＧＨｚ帯域でＳＡ２４を使用するための使用要求を帯域管理部２７に出力する。帯域管理部２７は、帯域管理部１７及び３７を介し、帯域記憶部１６及び３６の使用帯域テーブル１６ａ及び３６ａを確認する。ここで、使用帯域テーブル１６ａ及び３６ａには５ＧＨｚ帯域が使用される情報は記憶されていないので、帯域管理部２７は、帯域設定部２２に対して、５ＧＨｚ帯域でＳＡ２４を使用するための使用要求に対して使用許諾を示す信号を出力する。
【００４２】
帯域設定部２２は、使用許諾を示す信号を受信すると、５ＧＨｚ帯域でＳＡ２４を使用する情報を帯域記憶部２６に記憶させるよう帯域管理部２７に指示する。その結果、使用帯域テーブル２６ａには、５ＧＨｚ帯域でＳＡ２４を使用する情報が帯域管理部２７によって記憶される。
【００４３】
次に、測定部３０が、無線ＬＡＮの５ＧＨｚ帯域でＤＵＴ３の送信特性の測定を要求する場合には、帯域設定部３２は、５ＧＨｚ帯域でＳＡ３４を使用するための使用要求を帯域管理部３７に出力する。帯域管理部３７は、帯域管理部１７及び２７を介し、帯域記憶部１６及び２６の使用帯域テーブル１６ａ及び２６ａを確認する。使用帯域テーブル２６ａには５ＧＨｚ帯域が使用される情報が記憶されているので、帯域管理部３７は、帯域設定部３２に対して、５ＧＨｚ帯域でＳＡ２４を使用するための使用要求に対して拒否を示す信号を出力する。この場合、帯域設定部３２は、５ＧＨｚ帯域でＳＡ３４を使用するための使用要求が許諾されるまで、帯域管理部３７に対して所定間隔で使用要求を繰り返す待機状態となる。
【００４４】
次に、測定部２０が、無線ＬＡＮの５ＧＨｚ帯域におけるＤＵＴ２の送信特性を測定完了した場合には、帯域設定部２２は、５ＧＨｚ帯域でＳＡ２４を使用するために記憶した情報を解放（クリア）する要求を帯域管理部２７に出力する。帯域管理部２７は、使用帯域テーブル２６ａに記憶された５ＧＨｚ帯域でＳＡ２４を使用する情報をクリアする。その結果、使用帯域テーブル２６ｂが得られる。
【００４５】
帯域管理部３７は、測定部２０が５ＧＨｚ帯域を使用している情報がクリアされたので、帯域設定部３２に対して、５ＧＨｚ帯域でＳＡ３４を使用するための使用要求に対して使用許諾を示す信号を出力する。その結果、測定部３０において、５ＧＨｚ帯域でＳＡ３４を使用する情報が帯域管理部３７によって記録され、使用帯域テーブル３６ａが使用帯域テーブル３６ｂとなる。
【００４６】
次に、測定部１０等によるＤＵＴ１〜４の測定例について図３を用いて説明する。
【００４７】
図３には、測定部１０が、順次、ＤＵＴ１の５ＧＨｚ帯域での送信特性（ＴＸ（５Ｇ））、２ＧＨｚ帯域での送信特性（ＴＸ（２Ｇ））、５ＧＨｚ帯域での受信特性（ＲＸ（５Ｇ））、２ＧＨｚ帯域での受信特性（ＲＸ（２Ｇ））を測定する例が示されている。
【００４８】
ＤＵＴ１において５ＧＨｚ帯域での送信特性が測定される場合には、測定部２０は、５ＧＨｚ帯域は使用せず、この例では、２ＧＨｚ帯域でのＤＵＴ２の受信特性（ＲＸ（２Ｇ））を、測定部１０の送信特性（ＴＸ（５Ｇ））の測定と並行して測定している。以下同様に、測定部２０は、順次、ＤＵＴ２の５ＧＨｚ帯域での受信特性（ＲＸ（５Ｇ））、２ＧＨｚ帯域での送信特性（ＴＸ（２Ｇ））、５ＧＨｚ帯域での送信特性（ＴＸ（５Ｇ））を測定する例が示されている。
【００４９】
一方、測定部３０及び４０は、測定部１０及び２０が２ＧＨｚ帯域及び５ＧＨｚ帯域を使用する場合には、それぞれの使用したい周波数帯域が解放されるまで使用要求を繰り返す待機状態となっている。
【００５０】
図３に示した動作例では、測定部１０と２０、３０と４０の間において各測定開始時刻を同一としているが、本発明はこれに限定されず、並行して行う測定の周波数帯域が互いに異なっていればよい。
【００５１】
また、図３に示した動作例では、送信特性と受信特性との組み合わせになっているが、周波数帯域が互いに異なれば、送信特性同士、受信特性同士の組み合わせが可能である。
【００５２】
また、図３に示した動作例では、ＤＵＴ１及び２の測定が終了した後にＤＵＴ３及び４を測定した例を挙げたが、これに限定されず、例えば、所望周波数帯域の使用許諾を受けた測定部の順にＤＵＴを測定する順序を決めてもよい。例えば、ＤＵＴ１の（ＴＸ（５Ｇ））とＤＵＴ２の（ＲＸ（２Ｇ））の測定に続いて、ＤＵＴ１の（ＴＸ（２Ｇ））とＤＵＴ３の（ＲＸ（５Ｇ））の測定となる場合がある。
【００５３】
また、図３に示した動作例では、周波数帯域を２つとしたので、２つのＤＵＴが並行して同時に測定される形態となっているが、互いに異なる周波数帯域が例えば３つであれば、３つのＤＵＴが並行して測定可能となる。
【００５４】
次に、本実施形態における測定装置１００の動作について図４を用いて説明する。この例では、測定部１０は、測定部２０と並行して測定するものとする。具体的には、測定部１０は無線ＬＡＮの５ＧＨｚ帯域で送信特性を測定し、測定部２０は無線ＬＡＮの２ＧＨｚ帯域で受信特性を測定するものとする。また、動作開始前には初期状態として、帯域記憶部１６等に使用周波数帯域情報が記憶されていないものとする。
【００５５】
まず、測定部１０の動作について説明する。
【００５６】
帯域設定部１２は、ＳＡ１４を５ＧＨｚ帯域で使用するために、使用周波数帯域５ＧＨｚの使用要求を実行する（ステップＳ１１）。
【００５７】
帯域管理部１７は、使用周波数帯域５ＧＨｚの使用要求に対して使用許諾をするか否かを判断する（ステップＳ１２）。具体的には、帯域管理部１７は、自測定部１０以外の他測定部２０、３０、４０の帯域管理部２７、３７、４７を介して、帯域記憶部２６、３６、４６に周波数帯域５ＧＨｚの使用周波数帯域情報が記憶されている場合には使用要求を拒否し（ＮＯ）、周波数帯域５ＧＨｚの使用周波数帯域情報が記憶されていない場合には使用要求を許諾する（ＹＥＳ）。本動作例では、初期状態では使用周波数帯域情報は記憶されていないので、帯域管理部１７は使用要求を許諾する。
【００５８】
ステップＳ１２において、帯域管理部１７が使用許諾をしなかった場合には、ステップＳ１１の処理に戻る。
【００５９】
一方、ステップＳ１２において、帯域管理部１７が使用許諾をした場合には、制御部１１は、帯域管理部１７に、周波数帯域５ＧＨｚの使用周波数帯域情報を帯域記憶部１６に記憶させる（ステップＳ１３）。ここで、制御部１１は、測定ユニット１３を介し、ＤＵＴ１に対し、周波数帯域５ＧＨｚを使用した所定の測定データを送信するよう指示する。
【００６０】
ＳＡ１４は、ＤＵＴ１から出力される周波数帯域５ＧＨｚを使用した測定データを受信し、制御部１１から送られてくる測定パラメータに基づいてＤＵＴ１の送信特性を測定する（ステップＳ１４）。
【００６１】
制御部１１は、ＳＡ１４の測定が終了したか否かを判断する（ステップＳ１５）。
【００６２】
ステップＳ１５において、制御部１１が、測定が終了したと判断しなかった場合には、ステップＳ１４に戻る。
【００６３】
一方、ステップＳ１５において、制御部１１は、測定が終了したと判断した場合には、帯域記憶部１６に記憶されている周波数帯域５ＧＨｚの使用周波数帯域情報を帯域管理部１７に消去させる（ステップＳ１６）。
【００６４】
次に、測定部２０の動作について説明する。
【００６５】
帯域設定部２２は、ＳＧ２５を２ＧＨｚ帯域で使用するために、使用周波数帯域２ＧＨｚの使用要求を実行する（ステップＳ１１）。
【００６６】
帯域管理部２７は、使用周波数帯域２ＧＨｚの使用要求に対して使用許諾をするか否かを判断する（ステップＳ１２）。具体的には、帯域管理部２７は、自測定部２０以外の他測定部１０、３０、４０の帯域管理部１７、３７、４７を介して、帯域記憶部１６、３６、４６に周波数帯域２ＧＨｚの使用周波数帯域情報が記憶されている場合には使用要求を拒否し（ＮＯ）、周波数帯域２ＧＨｚの使用周波数帯域情報が記憶されていない場合には使用要求を許諾する（ＹＥＳ）。本動作例では、周波数帯域２ＧＨｚの使用周波数帯域情報は記憶されていないので、帯域管理部２７は使用要求を許諾する。
【００６７】
ステップＳ１２において、帯域管理部２７が使用許諾をしなかった場合には、ステップＳ１１の処理に戻る。
【００６８】
一方、ステップＳ１２において、帯域管理部２７が使用許諾をした場合には、制御部１１は、帯域管理部１７に、周波数帯域２ＧＨｚの使用周波数帯域情報を帯域記憶部２６に記憶させる（ステップＳ１３）。
【００６９】
ＳＧ２５は、制御部２１から送られてくる測定パラメータに基づいて信号を生成し、周波数帯域２ＧＨｚの測定データをＤＵＴ２に出力し、ＤＵＴ２は受信特性を測定する（ステップＳ１４）。
【００７０】
制御部２１は、ＳＧ２５による測定が終了したか否かを判断する（ステップＳ１５）。
【００７１】
ステップＳ１５において、制御部２１が、測定が終了したと判断しなかった場合には、ステップＳ１４に戻る。
【００７２】
一方、ステップＳ１５において、制御部２１は、測定が終了したと判断した場合には、帯域記憶部２６に記憶されている周波数帯域２ＧＨｚの使用周波数帯域情報を帯域管理部２７に消去させる（ステップＳ１６）。
【００７３】
前述の動作により、測定装置１００は、図３に示したＤＵＴ１及び２の最初の測定であるＤＵＴ１のＴＸ（５Ｇ）の測定と、ＤＵＴ２のＲＸ（２Ｇ）測定と、を信号干渉させることなく並行して実施することができる。その結果、測定装置１００は、ＤＵＴ１のＴＸ（５Ｇ）の測定と、ＤＵＴ２のＲＸ（２Ｇ）測定と、を高速で効率的に実施することができ、各測定の測定確度を向上させることができる。
【００７４】
以上のように、本実施形態における測定装置１００は、互いに異なる周波数帯域の信号を使用してＤＵＴ１〜４の送信特性及び受信特性の少なくとも一方の特性を測定することができるので、複数の周波数帯域を使用可能な複数の被測定装置を測定対象とする場合でも、信号干渉を防止して測定確度の向上を図ることができる。
【００７５】
なお、前述の実施形態では、互いに異なる周波数帯域の信号として、無線ＬＡＮにおける２ＧＨｚ及び５ＧＨｚの帯域の信号を例に挙げて説明したが、本発明はこれに限定されない。例えば、測定部１０がＷ−ＣＤＭＡ（Wideband-Code Division Multiple Access）で規定された一の周波数帯域の信号を使用し、この周波数帯域とは異なる他の周波数帯域であってＬＴＥ（Long Term Evolution）で規定された周波数帯域の信号を測定部２０が使用する構成であっても、同様な効果が得られる。
【００７６】
また、例えば、測定部１０がＬＴＥで規定された一のチャネルの周波数を使用し、測定部２０がＬＴＥで規定された他のチャネルを使用する構成であっても、同様な効果が得られる。
【００７７】
（変形例）
第１実施形態における測定装置１００の変形例について説明する。なお、互いに同様な構成要素には代表的な符号に「等」を付して記載を簡略化する。
【００７８】
前述の測定装置１００（図１参照）では、測定部１０等がそれぞれ帯域設定部１２等、帯域管理部１７等、帯域記憶部１６等を備えた例を挙げた。
【００７９】
これに対し、図５に示すように、変形例の測定装置１００ａは、制御装置１０１ａ、測定部１０ａ等を備え、制御装置１０１ａが、帯域記憶部１０３、帯域管理部１０４、帯域設定部１０５を備えている。
【００８０】
帯域記憶部１０３は、ＳＡ１４等、ＳＧ１５等の使用周波数帯域情報を記憶するようになっている。
【００８１】
帯域管理部１０４は、ＳＡ１４等、ＳＧ１５等の使用周波数帯域情報を帯域記憶部１０３に記憶させる処理や、ＳＡ１４等、ＳＧ１５等が測定を終了した場合に使用した周波数帯域の情報を帯域記憶部１０３からクリアする処理等を実行するようになっている。
【００８２】
帯域設定部１０５は、測定部１０ａ等が有するＳＡ１４等及びＳＧ１５等が扱う周波数帯域を設定するようになっている。
【００８３】
この構成により、変形例の測定装置１００ａは、制御装置１０１ａが総括的に使用周波数帯域情報に関する処理を行うので、測定部１０等の構成を簡略化することができる。
【００８４】
（第２実施形態）
まず、本発明に係る測定装置の第２実施形態における構成について説明する。
【００８５】
図６に示すように、本実施形態における測定装置２００は、第１実施形態の測定装置１００（図１参照）の一部を変更したものである。したがって、測定装置１００と同様な構成には同一の符号を付して、その説明は省略する。
【００８６】
本実施形態における測定装置２００は、測定部５０、６０、７０及び８０を備えている。以下、各構成を測定部５０で代表して説明し、測定部６０、７０及び８０の説明は省略する。
【００８７】
測定部５０は、制御部５１、測定ユニット５３を備えている。制御部５１は、測定パラメータ登録部５２を備えている。測定ユニット５３は、測定パラメータテーブル５４を備えている。
【００８８】
測定パラメータ登録部５２は、測定開始前に、予め定められた測定パラメータを測定パラメータテーブル５４に登録するようになっている。
【００８９】
ＳＡ１４は、測定開始前に、測定パラメータテーブル５４を参照し、測定パラメータテーブル５４に登録されている測定パラメータに基づいて、ＤＵＴ１から入力した信号を解析するようになっている。
【００９０】
ＳＧ１５は、測定開始前に、測定パラメータテーブル５４を参照し、測定パラメータテーブル５４に登録されている測定パラメータに基づいて、ＤＵＴ１に出力する信号を発生するようになっている。
【００９１】
送信特性を測定するＳＡ１４において、測定パラメータとしては、ＤＵＴ１の送信信号に対して、例えば、送信パワー、ＥＶＭ（Error Vector Magnitude）、スプリアス等の測定項目に対する各パラメータがある。また、受信特性を測定するためのＳＧ１５において、測定パラメータとしては、例えば、受信感度、ビットエラーレート等の測定項目に対する各パラメータがある。各測定項目の測定条件（周波数、信号レベル、測定項目の選択数等）となる各測定パラメータを細かく設定すると、その項目数は膨大となり、制御部５１が測定毎に測定パラメータを測定ユニット５３に指示していたのでは測定時間が長時間化してしまう。
【００９２】
そこで、本実施形態では、測定パラメータ登録部５２が予め定められた測定パラメータを測定パラメータテーブル５４に測定開始前に登録し、ＳＡ１４及びＳＧ１５が測定パラメータテーブル５４に登録されている測定パラメータに基づいて動作する構成としている。
【００９３】
次に、本実施形態における測定装置２００の動作について図７を用いて説明する。この例では、第１実施形態と同様な条件で、測定部５０が測定部６０と並行して測定するものとする。なお、第１実施形態の各ステップ（図４参照）と同様な動作には同一の符号を付して説明を省略する場合がある。
【００９４】
まず、測定部５０の動作について説明する。
【００９５】
ステップＳ１３において、帯域管理部１７が周波数帯域５ＧＨｚの使用周波数帯域情報を帯域記憶部１６に記憶した後に、測定パラメータ登録部５２は、予め定められた測定パラメータを測定パラメータテーブル５４に登録する（ステップＳ２１）。
【００９６】
ＳＡ１４は、ＤＵＴ１から出力される周波数帯域５ＧＨｚを使用した測定データを受信し、測定パラメータテーブル５４から測定パラメータを読み出し、読み出した測定パラメータに基づいてＤＵＴ１の送信特性を測定する（ステップＳ２２）。
【００９７】
次に、測定部６０の動作について説明する。
【００９８】
ステップＳ１３において、帯域管理部６７が周波数帯域２ＧＨｚの使用周波数帯域情報を帯域記憶部６６に記憶した後に、測定パラメータ登録部６２は、予め定められた測定パラメータを測定パラメータテーブル６４に登録する（ステップＳ２１）。
【００９９】
ＳＧ２５は、測定パラメータテーブル５４から測定パラメータを読み出し、読み出した測定パラメータに基づいて、ＤＵＴ１に出力する周波数帯域２ＧＨｚの信号を発生する（ステップＳ２２）。
【０１００】
以上のように、本実施形態における測定装置２００は、予め定められた測定パラメータを測定開始前に登録し、登録された測定パラメータに基づいて測定を行う構成としたので、第１実施形態における効果に加えて、測定時間の短縮化を図ることができる。
【産業上の利用可能性】
【０１０１】
以上のように、本発明に係る測定装置及び測定方法は、複数の周波数帯域を使用可能な複数の被測定装置を測定対象とする場合でも、信号干渉を防止して測定確度の向上を図ることができるという効果を有し、被測定装置の送信特性及び受信特性を同時に測定することが可能な測定装置及び測定方法として有用である。
【符号の説明】
【０１０２】
１、２、３、４  ＤＵＴ（被測定装置）
１０、１０ａ、２０、３０、４０、５０、６０、７０、８０  測定部（測定手段）
１１、２１、３１、４１  、５１制御部
１２、２２、３２、４２  帯域設定部（使用帯域設定手段）
１０５  帯域設定部（帯域設定手段）
１３、２３、３３、４３、５３  測定ユニット
１４、２４、３４、４４  ＳＡ（信号入力手段）
１５、２５、３５、４５  ＳＧ（信号出力手段）
１６、２６、３６、４６  帯域記憶部（使用帯域情報記憶手段）
１６ａ、２６ａ  使用帯域テーブル
１７、２７、３７、４７  帯域管理部
２６ａ、２６ｂ、３６ａ、３６ｂ  使用帯域テーブル
５２、６２  測定パラメータ登録部（測定パラメータ登録手段）
５４、６４  測定パラメータテーブル
１００、１００ａ、２００  測定装置
１０１、１０１ａ  制御装置
１０３  帯域記憶部（帯域情報記憶手段）
１０５  帯域設定部（帯域設定手段）
【図１】
0006374419.tif 000002
【図２】
0006374419.tif 000003
【図３】
0006374419.tif 000004
【図４】
0006374419.tif 000005
【図５】
0006374419.tif 000006
【図６】
0006374419.tif 000007
【図７】
0006374419.tif 000008